(57)【要約】【課題】従来の携帯電話装置の自動応答機能は、短縮ダイアルに登録されているか、いないかにかかわらず自動応答するものであり、個別に自動応答する条件を設定することができないという問題があった。【解決手段】悪質発信者の発信者番号が登録された悪質発信者記憶部１０を有し、着信時に、ユーザに設定された鳴動回数または鳴動時間内に着信音の鳴動が停止したとき、その発信者番号が短縮ダイヤル記憶部７に記憶されていない場合に、その発信者番号を悪質発信者記憶部１０に登録すると共に、悪質発信者記憶部１０に登録されている発信者番号の着信に対しては、自動応答するようにしたものである。【選択図】　　　　　　　　図１
2004096418.tif 000002
【特許請求の範囲】
【請求項１】
短縮ダイヤルが記憶された短縮ダイヤル記憶部、悪質発信者の発信者番号が登録された悪質発信者記憶部、着信時に、所定の鳴動回数または鳴動時間内に着信音の鳴動が停止したとき、上記着信の発信者番号が上記短縮ダイヤル記憶部に記憶されていない場合に、上記発信者番号を上記悪質発信者記憶部に登録する制御部を備え、上記制御部は、上記悪質発信者記憶部に登録されている発信者番号の着信に対して自動応答するように制御することを特徴とする携帯電話装置。
【請求項２】
上記悪質発信者記憶部に登録された発信者番号の着信に対して自動応答を行う機能は、ユーザの設定によって有効または無効が切替えられることを特徴とする請求項１記載の携帯電話装置。
【請求項３】
上記制御部により発信者番号が上記悪質発信者記憶部に登録されるときの所定の鳴動回数または鳴動時間は、ユーザにより、設定可能であることを特徴とする請求項１または請求項２記載の携帯電話装置。
【請求項４】
上記悪質発信者記憶部に登録された発信者番号は、インターネットまたは独自の通信経路を介して、他の携帯電話装置に通知されることを特徴とする請求項１〜請求項３のいずれか一項記載の携帯電話装置。
【発明の詳細な説明】
【０００１】
【発明の属する技術分野】
この発明は、有料サイトへの発信者番号をセットして着信音１回で着信を切断し、有料サイトへの発信者番号をユーザの着信履歴に残しておき、着信履歴から着信があったことを知ったユーザが有料サイトへ発信して、後から料金を請求されるトラブルの発生を未然に防止することができる携帯電話装置に関するものである。
【０００２】
【従来の技術】
有料サイトへの発信者番号をセットして着信音１回で着信を切断し、有料サイトへの発信者番号をユーザの着信履歴に残しておき、着信履歴から着信があったことを知ったユーザが有料サイトへ発信して、後から料金を請求されるトラブルの発生が、近年問題となっている。
図５は、従来の携帯電話装置を示す構成図である。
図５において、１は送受信用のアンテナ、２はアンテナ１から受信した電波を制御する送受信部、３は携帯電話端末を制御する制御部、４は着信音を鳴動させるサウンダ、５は携帯電話装置の表示を行う表示部、６はキー入力部、７は短縮ダイヤルを記憶する短縮ダイヤル記憶部、８は留守番電話部、９はファンクション動作等によりユーザの設定を保存する設定情報保存部である。
【０００３】
図６は、従来の携帯電話装置の動作を示すフローチャートである。
図６では、従来の携帯電話装置は着信時に自動応答機能が有効である場合は、着信音の鳴動回数または鳴動時間により留守番電話機能が動作していた。すなわち、ステップＳ１で、着信すると、ステップＳ２で、着信音が鳴動する。ステップＳ３で、自動応答機能が有効である場合は、着信音の鳴動回数または鳴動時間により、ステップＳ４の留守番電話機能が動作する。
【０００４】
次に、図５の動作について説明する。
図５のアンテナ１および送受信部２で受信した発信者番号を付加された着信信号を制御部３で解析し、サウンダ４から着信音を鳴動させ、表示部５に発信者番号を、または、短縮ダイヤル登録がある場合には短縮ダイヤル記憶部７から発信者番号を発信者名称に変換して表示する。設定情報保存部９を制御部３から参照し、自動応答機能が有効であり、かつ応答時間に達したとき留守番電話部８が動作する。
【０００５】
【発明が解決しようとする課題】
従来の技術では、着信に対して応答時間を設定して自動応答し、留守番電話する機能はあったものの、短縮ダイアルに登録されているか、いないかにかかわらず自動応答するものであり、個別に自動応答する条件を設定することができなかった。
【０００６】
この発明は、上述のような課題を解決するためになされたものであり、着信履歴から着信があったことを知ったユーザが有料サイトへ発信して、後から料金を請求されるトラブルの発生を未然に防止することができる携帯電話装置を得ることを目的にしている。
【０００７】
【課題を解決するための手段】
この発明に係わる携帯電話装置においては、短縮ダイヤルが記憶された短縮ダイヤル記憶部と、悪質発信者の発信者番号が登録された悪質発信者記憶部と、着信時に、所定の鳴動回数または鳴動時間内に着信音の鳴動が停止したとき、着信の発信者番号が短縮ダイヤル記憶部に記憶されていない場合に、発信者番号を悪質発信者記憶部に登録する制御部を備え、制御部は、悪質発信者記憶部に登録されている発信者番号の着信に対して自動応答するように制御するものである。
【０００８】
また、制御部による悪質発信者記憶部への発信者番号の登録及び悪質発信者記憶部に登録された発信者番号の着信に対して自動応答を行う機能は、ユーザの設定によって有効または無効が切替えられるものである。
また、制御部により発信者番号が悪質発信者記憶部に登録されるときの所定の鳴動回数または鳴動時間は、ユーザにより、設定可能であるものである。
【０００９】
さらに、悪質発信者記憶部に登録された発信者番号は、インターネットまたは独自の通信経路を介して、他の携帯電話装置に通知されるものである。
【００１０】
【発明の実施の形態】
実施の形態１．
この発明は、悪質業者から着信した電話番号を自動登録し、登録された番号へ自動応答することで悪意のある業者へ費用を発生させ、事業そのものの運営を困難にさせるようにしたものである。
図１は、この発明の実施の形態１による携帯電話装置を示す構成図である。
図１において、１は送受信用のアンテナ、２はアンテナ１から受信した電波を制御する送受信部、３は携帯電話端末を制御する制御部、４は着信音を鳴動させるサウンダ、５は携帯電話装置の表示を行う表示部、６はキー入力部、７は短縮ダイヤルを記憶する短縮ダイヤル記憶部、８は留守番電話部、９はファンクション動作等によりユーザの設定を保存する設定情報保存部、１０は悪質発信者記憶部である。
【００１１】
図２は、この発明の実施の形態１による携帯電話装置の着信時のフローチャートである。
ステップＳ１１で、アンテナ１及び送受信部２により着信を検出すると、ステップＳ１２で、制御部３にて、悪質発信者記憶部を参照し悪質発信者である場合には、ステップＳ１３で、自動応答し、留守番電話へ移行する。ステップＳ１２で、悪質発信者記憶部を参照し、悪質発信者でない場合には、ステップＳ１４で、着信音鳴動カウンタまたは鳴動時間を０クリアする。次いで、ステップＳ１５で、サウンダを動作させる。ステップＳ１６で、着信音鳴動カウンタまたは鳴動時間をカウントアップし、ステップＳ１７で、着信が停止するまで上記を繰返す。ステップＳ１７で、着信が停止したとき、ステップＳ１８で、着信音鳴動カウンタの値が１または鳴動時間がユーザ設定した時間Ｘｓ（所定の鳴動回数または鳴動時間）以下であるとき、ステップＳ１９で、前記発信者番号が短縮ダイヤル記憶部７に登録されているかどうか判定する。登録されていないとき、ステップＳ２０で、悪質発信者記憶部へ登録する。このステップＳ１８の着信音鳴動カウンタの値及び鳴動時間は、ユーザにより設定可能に構成されている。
【００１２】
ステップＳ１８で、着信が停止した後の着信音鳴動カウンタの値が１または鳴動時間がユーザ設定した時間Ｘｓ以下でない場合、または、着信音鳴動カウンタの値が１または鳴動時間がユーザ設定した時間Ｘｓ以下であっても、ステップＳ１９で、通知された発信者番号が短縮ダイヤル記憶部７に登録されている場合は、従来と同じく、着信ありを通知する表示および発信者番号を、表示部５に表示する。
また、発信者番号が非通知の場合である場合は、明らかに悪意ある有料サイトへの発信を狙った着信でないため、従来と同じく着信表示を行うものとする。
【００１３】
実施の形態１によれば、着信時に通知される発信者番号は着信音１回またはユーザが設定した任意の時間の鳴動では、ユーザがあらかじめ登録しておいた短縮ダイヤルに存在するもの以外は自動応答して、留守番電話へ移行する。そのため、悪意ある業者は通話料金が発生し事業の存続が困難となる。
【００１４】
実施の形態２．
図３は、この発明の実施の形態２による携帯電話装置の着信時のフローチャートである。図３は、ステップＳ３１とステップＳ３２が図２に追加されている。ユーザが、実施の形態１の動作を有効とするか無効とするかを、あらかじめキー入力部６からの操作により設定して、設定情報保存部８に保存しておく。
着信時に、図３のステップＳ１１の次のステップＳ３１で、設定内容が、有効か無効かを確認し、無効のときは、ステップＳ１４に行く。また、ステップＳ１７の次のステップＳ３２でも、この有効、無効を確認して、設定内容が動作無効であった場合は、従来と同じ動作をして、ステップＳ２１で、着信表示を表示部５に表示する。
ステップＳ３１、ステップＳ３２で、設定内容が動作有効の場合は、それぞれステップＳ１２、ステップＳ１８に行き、図２と同じように動作する。
【００１５】
実施の形態２によれば、ユーザのニーズにより、実施の形態１による携帯電話装置の着信時の動作を、有効または無効に設定することが可能となる。
【００１６】
実施の形態３．
図４は、この発明の実施の形態３による携帯電話装置の着信時のフローチャートである。図４のフローチャートは、図２のフローチャートとほぼ同じであるが、サーバ１１と、サーバ１１と携帯電話装置を接続するインターネットまたは独自の通信経路１２を有している。このインターネットまたは独自の通信経路１２には複数の携帯電話端末が接続され、それぞれ悪質発信者記憶部１０ａ、１０ｂを有している。
【００１７】
ステップＳ２０で、悪質発信者記憶部１０へ自動登録された情報は、インターネットまたは独自の通信経路１２で外部のサーバ１１へ収集される。多数の携帯電話装置から収集されたデータは、サーバ１１で悪質度順に並べ替えられる。並べ替えられたデータは、インターネットまたは独自の通信経路１２にて、他の携帯電話装置の悪質発信者記憶部１０ａ、１０ｂへコピーされる。
ただし、悪質度は、サーバ１１へ多く収集されてきた発信者番号ほど高いものとする。
【００１８】
実施の形態３によれば、ユーザが蓄えた悪質発信者を多数の人と共有することができ、効果的に悪意業者を撃退することができる。
【００１９】
【発明の効果】
この発明は、以上説明したように構成されているので、以下に示すような効果を奏する。
短縮ダイヤルが記憶された短縮ダイヤル記憶部と、悪質発信者の発信者番号が登録された悪質発信者記憶部と、着信時に、所定の鳴動回数または鳴動時間内に着信音の鳴動が停止したとき、着信の発信者番号が短縮ダイヤル記憶部に記憶されていない場合に、発信者番号を悪質発信者記憶部に登録する制御部を備え、制御部は、悪質発信者記憶部に登録されている発信者番号の着信に対して自動応答するように制御するので、悪質発信者記憶部に登録されている発信者番号の着信に対して自動応答することができ、悪質発信者に通話料金を発生させることができる。
【００２０】
また、制御部による悪質発信者記憶部への発信者番号の登録及び悪質発信者記憶部に登録された発信者番号の着信に対して自動応答を行う機能は、ユーザの設定によって有効または無効が切替えられるので、ユーザの設定により、悪質発信者に対する機能を有効または無効に設定することができる。
また、制御部により発信者番号が悪質発信者記憶部に登録されるときの所定の鳴動回数または鳴動時間は、ユーザにより、設定可能であるので、任意の鳴動回数または鳴動時間に設定することができる。
【００２１】
さらに、悪質発信者記憶部に登録された発信者番号は、インターネットまたは独自の通信経路を介して、他の携帯電話装置に通知されるので、ユーザが蓄えた悪質発信者を多数の人と共有することができ、効果的に悪意発信者に対処することができる。
【図面の簡単な説明】
【図１】この発明の実施の形態１による携帯電話装置を示す構成図である。
【図２】この発明の実施の形態１による携帯電話装置の着信時のフローチャートである。
【図３】この発明の実施の形態２による携帯電話装置の着信時のフローチャートである。
【図４】この発明の実施の形態３による携帯電話装置の着信時のフローチャートである。
【図５】従来の携帯電話装置を示す構成図である。
【図６】従来の携帯電話装置の動作を示すフローチャートである。
【符号の説明】
１　アンテナ、２　送受信部、３　制御部、４　サウンダ、５　表示部、
６　キー入力部、７　短縮ダイヤル記憶部、８　留守番電話部（音声記憶部）、９　設定情報保存部、１０　悪質発信者記憶部、１１　サーバ、
１２　インターネットまたは独自の通信経路。
【図１】
2004096418.tif 000003
【図２】
2004096418.tif 000004
【図３】
2004096418.tif 000005
【図４】
2004096418.tif 000006
【図５】
2004096418.tif 000007
【図６】
2004096418.tif 000008